(57)【要約】【課題】ウェルド部での強度に優れる軸受用樹脂製保持器およびその製造方法などを提供することを目的とする。【解決手段】樹脂組成物の射出成形体である円環状の軸受用樹脂製保持器であり、転動体を保持する複数のポケット部４と、各ポケット部の間に位置する軸方向の柱部と、柱部を軸方向両側で固定する円環部とを備えてなり、柱部および円環部の少なくとも一方の部位において、円周方向の１箇所または複数箇所にウェルドラインを有し、上記部位のウェルドライン近傍の形状が、ウェルドラインに沿った断面Ｘに対して非対称であり、例えば、円環部の保持器外側端面に、円周方向に等間隔で形成された複数の肉ぬすみ部３と、肉ぬすみ部３の間に形成されるリブ２とを有し、ウェルドラインがリブ２に位置し、リブ２の形状が円周方向の肉厚が径方向で不均一である。【選択図】図２
2017172736.tif 000002
【特許請求の範囲】
【請求項１】
樹脂組成物の射出成形体である円環状の軸受用樹脂製保持器であって、
該保持器は、転動体を保持する複数のポケット部と、各ポケット部の間に位置する軸方向の柱部と、該柱部を軸方向両側で固定する円環部とを備えてなり、
前記柱部および前記円環部の少なくとも一方の部位において、円周方向の１箇所または複数箇所にウェルドラインを有し、前記部位の前記ウェルドライン近傍の形状が、該ウェルドラインに沿った断面に対して非対称であることを特徴とする軸受用樹脂製保持器。
【請求項２】
前記円環部の保持器外側端面に、円周方向に等間隔で形成された複数の肉ぬすみ部と、該肉ぬすみ部の間に形成されるリブとを有し、前記ウェルドラインが該リブに位置し、
前記リブの形状が、（１）円周方向の肉厚が径方向で不均一、（２）円周方向の肉厚が軸方向で不均一、および（３）軸方向の肉厚が径方向で不均一、の少なくとも１つであることを特徴とする請求項１記載の軸受用樹脂製保持器。
【請求項３】
前記円環部の保持器外側端面に、円周方向に等間隔で形成された複数の肉ぬすみ部と、該肉ぬすみ部の間に形成されるリブとを有し、前記ウェルドラインが該リブに位置し、
前記リブに隣接する前記肉ぬすみ部の一方に、該肉ぬすみ部を構成する面から突出する凸部、および該肉ぬすみ部を構成する面から窪んだ凹部、の少なくとも一方を有することを特徴とする請求項１または請求項２記載の軸受用樹脂製保持器。
【請求項４】
前記樹脂組成物が、ポリアミド樹脂に、ガラス繊維または炭素繊維を配合してなる樹脂組成物であることを特徴とする請求項１、請求項２または請求項３記載の軸受用樹脂製保持器。
【請求項５】
請求項１から請求項４までのいずれか１項記載の軸受用樹脂製保持器の製造方法であって、
前記保持器の形状の金型キャビティに対して、円周方向で等間隔に設けられた複数のゲートから前記樹脂組成物を射出充填して成形することを特徴とする軸受用樹脂製保持器の製造方法。
【請求項６】
前記ゲートとして、樹脂通過流量が異なる２個以上のゲートを設けたことを特徴とする請求項５記載の軸受用樹脂製保持器の製造方法。
【請求項７】
前記複数のゲートが前記各柱部の形成位置に設けられ、該ゲートとして、前記各柱部における軸方向位置が異なる２個以上のゲートを設けたことを特徴とする請求項５または請求項６記載の軸受用樹脂製保持器の製造方法。
【請求項８】
前記ゲートとして、（１）直結するランナーの前記金型キャビティに対する角度が異なる２個以上のゲート、および、（２）直結するランナーの径寸法の異なる２個以上のゲート、のいずれか一方を設けたことを特徴とする請求項５、請求項６または請求項７記載の軸受用樹脂製保持器の製造方法。
【請求項９】
転動体および該転動体を保持する保持器を有する転がり軸受であって、
前記保持器が請求項１から請求項４までのいずれか１項記載の軸受用樹脂製保持器であることを特徴とする転がり軸受。
【発明の詳細な説明】
【技術分野】
【０００１】
本発明は、鉄道車両、自動車、産業機械などに用いられる転がり軸受用の保持器に関する。特に、樹脂組成物を射出成形してなる樹脂製保持器とその製造方法に関する。また、この樹脂製保持器を用いた転がり軸受に関する。
【背景技術】
【０００２】
転がり軸受は、玉や円筒ころなどの転動体を、内輪と外輪との間の軌道空間に配列し、これらの転動体を保持器により保持している。従来、軸受の保持器は高力黄銅などの金属材質が用いられてきた。金属製保持器は重量が重く、また使用中に軸受内で磨耗分が発生し、潤滑剤の劣化を促進させる。そこで、軸受（潤滑剤の）長寿命化、軽量化の観点から、保持器の合成樹脂材料化が進められている。しかし、高力黄銅などの金属製保持器に比べ強度が劣り、さらに、一般的に樹脂製保持器は射出成形によって製造されるが、これは金属材質の削りだし加工に比べ寸法精度を出すことが難しい。
【０００３】
樹脂材料を用いて円環状の保持器を射出成形で製造する場合、図９に示すように、金型キャビティ１６に溶融樹脂１７をランナー１８およびゲート１９を介して高い圧力を持って注入していく。この際、ゲート１９から金型キャビティ１６に射出された溶融樹脂１７は複雑に分岐し、等距離移動後に再び合流しウェルド部２０と呼ばれる溶融樹脂の接合部を形成する。
【０００４】
従来、樹脂製保持器について、このようなウェルド部における強度や精度を確保する方法として様々な提案がなされている。例えば、特許文献１では、ゲート部を柱部の軸方向中央部に配置することで、真円度や円筒度などの精度を確保し易くした保持器が提案されている。特許文献２では、ゲート部とウェルド部とが別々の柱部に位置する保持器において、ポケット部の隅部形状を調整してゲート部が位置する柱部と、ウェルド部が位置する柱部の耐折損性を改善した保持器が提案されている。特許文献３では、補強繊維材の配向を最適化してウェルド部の強度を向上させた保持器が提案されている。
【先行技術文献】
【特許文献】
【０００５】
【特許文献１】特開２００２−５１７６号公報
【特許文献２】特開２０１１−５２７８４号公報
【特許文献３】特開２０１２−８７８９０号公報
【発明の概要】
【発明が解決しようとする課題】
【０００６】
図１０に射出成形で製造された従来の軸受用樹脂製保持器の一例を示す。この保持器１１は、転動体を保持する複数のポケット部１２と、各ポケット部１２の間に形成される軸方向の柱部１３と、柱部１３を軸方向両側で固定する円環部１４とを備えてなる。柱部１３の内径部に、円周方向に等配のゲート１５を設け、ゲート１５から金型キャビティ内に射出された樹脂は、該図の破線部でウェルド部（ウェルドライン）を形成する。ゲート１５は、柱部１３の軸方向中央部に配置されている（特許文献１参照）。
【０００７】
また、上記のゲート１５は種々のタイプがあり、任意の柱部１３の内径側に設けたもの、柱部１３ではなく円環部１４に設けたもの（共にトンネルゲート）、保持器端面にゲートを形成するもの（サイドゲート）、円環部１４に連続した円環状ゲートを設ける（ディスクゲート）などがある。ゲートの個数・位置により、同じ形状の保持器でもウェルドラインの個数・位置は異なるが、共通することはウェルド部の強度を向上させるためには、衝突する樹脂同士が十分な強度を持って結合することである。
【０００８】
樹脂は高圧力にてキャビティ空間に射出されるため、流入速度が速過ぎるとキャビティ内の空気が急速に圧縮され、ウェルド部での樹脂同士の結合が弱くなりウェルド強度が低下する。逆に、樹脂の流入速度が遅過ぎると、樹脂がウェルド部に到達する前に冷却され樹脂同士の結合が弱くなる。一般的に図１１（ａ）のように、樹脂同士がしっかりと食い込み、結合面積が大きいほどウェルド強度は増す。一方、図１１（ｂ）のように、結合する樹脂の先端が温度の低下により流動性が悪くなっているとウェルド部で樹脂同士が衝突したときに、お互いが十分に食い込むことは無く、結合は弱くなる。なお、図１３における矢印は樹脂の流れを示す。
【０００９】
軸受の保持器のように複雑なキャビティを持つ金型の場合、使用条件に対して必要なウェルド部の強度（引張強度）を確保することは容易ではなく、如何にしてこの強度を向上させるかが重要な課題である。また、製造コストの増加を避けるため、より簡易な手段でこの強度向上を図ることが望まれる。
【００１０】
本発明はこのような背景に鑑みてなされたものであり、ウェルド部での強度に優れる軸受用樹脂製保持器およびその製造方法を提供することを目的とする。また、この樹脂製保持器を用いた転がり軸受を提供することを目的とする。
【課題を解決するための手段】
【００１１】
本発明の軸受用樹脂製保持器は、樹脂組成物の射出成形体である円環状の軸受用樹脂製保持器であって、該保持器は、転動体を保持する複数のポケット部と、各ポケット部の間に位置する軸方向の柱部と、該柱部を軸方向両側で固定する円環部とを備えてなり、上記柱部および上記円環部の少なくとも一方の部位において、円周方向の１箇所または複数箇所にウェルドラインを有し、上記部位の上記ウェルドライン近傍の形状が、該ウェルドラインに沿った断面に対して非対称であることを特徴とする。
【００１２】
上記円環部の保持器外側端面に、円周方向に等間隔で複数形成された肉ぬすみ部と、該肉ぬすみ部の間に形成されるリブとを有し、上記ウェルドラインが該リブに位置し、上記リブの形状が、（１）円周方向の肉厚が径方向で不均一、（２）円周方向の肉厚が軸方向で不均一、および（３）軸方向の肉厚が径方向で不均一、の少なくとも１つであることを特徴とする。
【００１３】
上記円環部の保持器外側端面に、円周方向に等間隔で複数形成された肉ぬすみ部と、該肉ぬすみ部の間に形成されるリブとを有し、上記ウェルドラインが該リブに位置し、上記リブに隣接する上記肉ぬすみ部の一方に、該肉ぬすみ部を構成する面から突出する凸部、および該肉ぬすみ部を構成する面から窪んだ凹部、の少なくとも一方を有することを特徴とする。
【００１４】
上記樹脂組成物が、ポリアミド樹脂に、ガラス繊維または炭素繊維を配合してなる樹脂組成物であることを特徴とする。
【００１５】
本発明の軸受用樹脂製保持器の製造方法は、上記の本発明の保持器を製造するための方法であり、上記保持器の形状の金型キャビティに対して、円周方向で等間隔に設けられた複数のゲートから上記樹脂組成物を射出充填して成形することを特徴とする。
【００１６】
この製造方法において、上記ゲートとして、樹脂通過流量が異なる２個以上のゲートを設けたことを特徴とする。また、上記複数のゲートが上記各柱部に設けられ、該ゲートとして、上記各柱部における軸方向位置が異なる２個以上のゲートを設けたことを特徴とする。
【００１７】
また、この製造方法において、上記ゲートとして、（１）直結するランナーの上記金型キャビティに対する角度が異なる２個以上のゲート、および、（２）直結するランナーの径寸法の異なる２個以上のゲート、のいずれか一方を設けたことを特徴とする。
【００１８】
本発明の転がり軸受は、転動体および該転動体を保持する保持器を有する転がり軸受であって、上記保持器が本発明の軸受用樹脂製保持器であることを特徴とする。
【発明の効果】
【００１９】
本発明の軸受用樹脂製保持器は、転動体を保持する複数のポケット部と、各ポケット部の間に位置する軸方向の柱部と、該柱部を軸方向両側で固定する円環部とを備えてなり、柱部および円環部の少なくとも一方の部位において、円周方向の１箇所または複数箇所にウェルドラインを有し、上記部位のウェルドライン近傍の形状が、該ウェルドラインに沿った断面に対して非対称であるので、射出成形時にウェルド部での溶融樹脂の流れを乱れさせること、および接合面積を増加させることができ、ウェルド部の強度に優れる保持器として得られる。
【００２０】
円環部の保持器外側端面に、円周方向に等間隔で形成された複数の肉ぬすみ部と、該肉ぬすみ部の間に形成されるリブとを有し、ウェルドラインが該リブに位置し、上記リブの形状が、（１）円周方向の肉厚が径方向で不均一、（２）円周方向の肉厚が軸方向で不均一、および（３）軸方向の肉厚が径方向で不均一、の少なくとも１つであるので、従来あるリブの形状を僅かに変更することのみで製造できる。このため、製造コストを増加させないで、ウェルド部の強度の向上が図れる。
【００２１】
円環部の保持器外側端面に、円周方向に等間隔で形成された複数の肉ぬすみ部と、該肉ぬすみ部の間に形成されるリブとを有し、ウェルドラインが該リブに位置し、リブに隣接する肉ぬすみ部の一方に、該肉ぬすみ部を構成する面から突出する凸部、および該肉ぬすみ部を構成する面から窪んだ凹部、の少なくとも一方を有するので、従来ある肉ぬすみ部に僅かな形状変更を施すのみで製造できる。このため、上記同様、製造コストを増加させないで、ウェルド部の強度の向上が図れる。
【００２２】
樹脂組成物が、ポリアミド樹脂に、ガラス繊維または炭素繊維を配合してなる樹脂組成物であるので、成形性に優れるとともに保持器強度に優れ、さらに軽量化が図れる。
【００２３】
本発明の軸受用樹脂製保持器の製造方法において、ゲートとして、穴径寸法が異なるなどの樹脂通過流量が異なる２個以上のゲートを設けるので、各ゲートから射出充填される樹脂量のバランスをあえて崩し、ウェルド部での溶融樹脂の流れを乱れさせることができ、ウェルド部の強度の向上が図れる。また、ゲートとして、各柱部における軸方向位置が異なる２個以上のゲートを設けること、直結するランナーの金型キャビティに対する角度が異なる２個以上のゲートを設けること、直結するランナーの径寸法の異なる２個以上のゲートを設けること、でも同様にウェルド部の強度の向上が図れる。
【００２４】
本発明の転がり軸受は、本発明の軸受用樹脂製保持器を用いるので、樹脂製の保持器を採用しながら、ウェルド部での保持器破損などの問題の発生を防止できる。
【図面の簡単な説明】
【００２５】
【図１】一般的な樹脂製保持器を示す平面図である。
【図２】本発明の樹脂製保持器の一例を示す一部拡大図等である。
【図３】本発明の樹脂製保持器の他の例を示す一部拡大図である。
【図４】本発明の樹脂製保持器の他の例を示す一部拡大図等である。
【図５】本発明の樹脂製保持器の他の例を示す一部拡大図等である。
【図６】ゲート形状および位置の一例を示す図である。
【図７】射出充填構造の一例を示す図である。
【図８】本発明の転がり軸受の一例を示す断面図である。
【図９】射出成形時の金型キャビティ内での樹脂の流れを示す図である。
【図１０】従来の樹脂製保持器を示す斜視図である。
【図１１】ウェルド部における樹脂の様子を示す模式図である。
【図１２】保持器引張試験機の概要を示す図である。
【図１３】ウェルドラインの流動解析結果を示す図である。
【発明を実施するための形態】
【００２６】
軸受用樹脂製保持器を図１に基づいて説明する。図１（ａ）は円環状の保持器の斜視図であり、図１（ｂ）は保持器外側端面にリブと肉ぬすみ部を有する保持器の平面図である。図１（ａ）に示すように、円環状の樹脂製保持器１’は、転動体を保持する複数のポケット部４と、各ポケット部４の間に位置する軸方向に沿った柱部６と、柱部６を軸方向両側で固定する円環部５とを備えてなる。柱部６の内径部に、円周方向に等配のゲート７を設けているため、円環部５における各ポケット部４を構成する部分の周方向中央位置にウェルド部（ウェルドライン）が形成される（図１０と同じ箇所）。
【００２７】
図１（ｂ）に示す樹脂製保持器１’’では、図１（ａ）に示す保持器と同様の全体構成を有しつつ、保持器端面に肉ぬすみ部３と、肉ぬすみ部３同士の間にリブ２が形成されている。一般的に射出成形では、金型キャビティ内の樹脂通過断面積をほぼ一定にすることが好ましいとされている。図１（ａ）に示すような樹脂製保持器１’を射出成形で製造する場合、円環部が肉厚になりすぎるために、図２（ｂ）のように肉ぬすみを行なって肉ぬすみ部３を形成する一方で、ウェルド部では極力接合面積を確保したいことから、上記の如くリブ２が形成されている。すなわち、リブ２の部分にウェルドラインが位置している。
【００２８】
樹脂製保持器においてウェルド部の強度を向上させるためには、高温の樹脂を如何にウェルド部で乱れた状態で結合させるかが重要であり、さらに接合面積を増加させることも重要である。これを達成すべく、本発明の保持器では、リブなどのウェルドライン近傍の形状を、このウェルドラインに沿った断面に対して非対称であるように設定している。この非対称形状により、ウェルド部における樹脂の流れの乱れ、または接合面積の増加、あるいはそれらの複合により高い結合力が得られる。なお、円周方向に等配のゲートを採用することで、ウェルドラインに沿った断面は、円環部または柱部を円周方向で分断する面として形成される。以下、具体的な形状の詳細を図２〜図５に基づいて説明する。
【００２９】
本発明の軸受用樹脂製保持器の一例を図２に基づいて説明する。図２は、樹脂製保持器におけるリブと肉ぬすみ部周囲の拡大図（図２（ａ））と斜視図（図２（ｂ））である。図２（ａ）に示すリブ２は、円周方向に等間隔で形成された複数の肉ぬすみ部３のうち、２つの肉ぬすみ部３の間に形成され、円周方向の肉厚が径方向で不均一とされている。詳細には、リブ２の軸方向の肉厚は一定であり、外径側の肉厚ｔwoが内径側の肉厚ｔwiよりも小さく設定されており、リブ２の一方の面２ａに対して他方の面２ｂが内径側ほど円周方向に広がるように傾斜した形状とされている。この保持器１におけるウェルドラインは、リブ２の円周方向略中央に位置する。このリブ２は、ウェルドラインに沿った断面Ｘに対して非対称の形状とされている。
【００３０】
本発明の軸受用樹脂製保持器の他の例を図３に基づいて説明する。図３（ａ）および図３（ｂ）は、それぞれの樹脂製保持器におけるリブと肉ぬすみ部周囲の拡大図であり、図３（ａ）は円環部を外径方向から見た図であり、図３（ｂ）はウェルド断面を円周方向から見た図である。図３（ａ）に示すリブ２は、円周方向に等間隔で形成された複数の肉ぬすみ部３のうち、２つの肉ぬすみ部３の間に形成され、円周方向の肉厚が軸方向で不均一とされている。詳細には、リブ２の径方向の肉厚は一定であり、一端面側の肉厚ｔweが他端面側の肉厚ｔwmよりも小さく設定されており、リブ２の一方の面２ａに対して他方の面２ｂが他端面側ほど円周方向に広がるように傾斜した形状とされている。このリブ２は、ウェルドラインに沿った断面に対して非対称の形状とされている。
【００３１】
また、図３（ｂ）に示すリブ２は、軸方向の肉厚が径方向で不均一とされている。詳細には、リブ２の円周方向の肉厚は一定であり、外径側の肉厚ｔdoが内径側の肉厚ｔdiよりも小さく設定されており、リブ２の面２ｃが内径側ほど軸方向に広がるように傾斜した形状とされている。
【００３２】
図２および図３に示す各形態では、端面リブの肉厚を円周方向、径方向、軸方向に対して不等幅とすることで、ウェルド部における樹脂の流れを乱れさせ、または接合面積を増加させて、ウェルド部における強度を向上させている。
【００３３】
本発明の軸受用樹脂製保持器の他の例を図４に基づいて説明する。図４（ａ）は樹脂製保持器におけるリブと肉ぬすみ部周囲の拡大図であり、図４（ｂ）は図４（ａ）におけるＡ−Ａ’線断面図である。図４に示すリブ２は、円周方向に等間隔で形成された複数の肉ぬすみ部３のうち、２つの肉ぬすみ部３の間に形成されている。このリブ２自体は通常の形状のリブである。ここで、リブ２に隣接する肉ぬすみ部３を構成する面３ｂにおいて、該面から窪んだ凹部３ｃを設けている。この凹部３ｃは、射出成形時にはキャビティ内突起となり、溶融樹脂の流れを阻害し、リブ２の位置に形成されるウェルド部での流れを乱すことができる。なお、この凹部３ｃは、肉ぬすみ部３を構成する面３ａに設けてもよい。
【００３４】
本発明の軸受用樹脂製保持器の他の例を図５に基づいて説明する。図５（ａ）は樹脂製保持器におけるリブと肉ぬすみ部周囲の拡大図であり、図５（ｂ）は図５（ａ）におけるＢ−Ｂ’線断面図である。図５に示すリブ２は、図４と同様に、このリブ２自体は通常の形状のリブである。ここで、リブ２に隣接する肉ぬすみ部３を構成する面３ａにおいて、該面から突出する凸部３ｄを設けている。この凸部３ｄは、射出成形時にはキャビティ内での急拡大部となり、リブ２の位置に形成されるウェルド部での流れを乱すことができる。なお、この凸部３ｄは、肉ぬすみ部３を構成する面３ｂに設けてもよい。
【００３５】
図４および図５に示す各形態では、リブに隣接する肉ぬすみ部において、凹部や凸部を設けることで、これらを含めたウェルドライン近傍形状が、リブに形成されるウェルドラインに沿った断面に対して非対称の形状となる。金型キャビティ内では、凹部は突起に、凸部は急拡大部になり、溶融樹脂の流れの乱れを誘発することで、ウェルド部における強度を向上させている。
【００３６】
以上の図２〜図５の形態は、それぞれ単独でも組み合わせて設けてもよい。また、ウェルドラインがリブに位置すればよく、ゲートの位置は柱部、円環部のいずれに設けてもよい。ゲートの個数も適宜設定できる。また、ゲートの方式は、形成位置に合わせてトンネルゲート、サイドゲート、ディスクゲートなどを適宜設けることができる。
【００３７】
本発明の軸受用樹脂製保持器の製造方法は、上記したような本発明の保持器を製造するための方法である。上述の不均等リブなどを含む保持器の形状の金型キャビティに対して、例えば、柱部となる部分に円周方向で等間隔に設けられた複数のゲートから所定の樹脂組成物の溶融樹脂を射出充填して成形する。この製造方法で使用する金型は、固定型（固定側の金型）と、固定型に対して型締め、型開き可能な可動型（可動側の金型）と、から構成される。型締めされた固定型と可動型とによって上記金型キャビティが形成される。なお、円環状の保持器のポケット部については、スライドコアを利用した金型で形成することもできる。
【００３８】
試験保持器にてゲート全数のうち数点のゲートの樹脂通過流量をその他のゲートに比べて少なくなるよう調整して成形を実施した結果、引張強度が向上することを確認できた。このため、キャビティ内に射出される樹脂のバランスをあえて変化させることにより、ウェルド部での乱れを誘発でき、ウェルド部の強度の向上が図れるものと考える。以下、具体的な形態の詳細を図６および図７に基づいて説明する。
【００３９】
本発明の軸受用樹脂製保持器の製造方法におけるゲート形状および位置の一例を図６に基づいて説明する。図６（ａ）はゲート形状の一例を、図６（ｂ）はゲート位置の一例をそれぞれ示す図である。なお、いずれも内径側から保持器を見た図である。図６（ａ）に示す例では、複数の柱部６の内径部に円周方向で等配のゲート７ａ、７ｂが配置され、それぞれのゲート径寸法が異なる。ゲート径寸法の異なるゲートが２個以上あればよく、すべてのゲートについて相互に異なる径寸法としてもよい。図６（ｂ）に示す例では、複数の柱部６の内径部に円周方向で等配のゲート７ａ、７ｂが配置され、それぞれのゲートの柱部６における軸方向位置が異なる。上記同様、各柱部での軸方向位置の異なるゲートが２個以上あればよく、すべてのゲートについて相互に異なる軸方向位置としてもよい。
【００４０】
本発明の軸受用樹脂製保持器の製造方法における射出充填構造の一例を図７に基づいて説明する。図７（ａ）および図７（ｂ）において、溶融樹脂はスプール８ａを通過した後、ランナー８ｂを通過してゲート９を介して金型キャビティ１０に射出充填される。図７（ａ）の例では、ゲート９に直結するランナー８ｂと８ｃの角度が異なる。これにより、金型キャビティ１０内に射出される樹脂の向きを不均一にできる。また、図７（ｂ）の例では、ランナー８ｂと８ｃの径寸法が異なる。これによりランナー／ゲートのキャビティ断面縮小率の違いにより、各ゲート９より射出される樹脂の状態差によりウェルド部での乱れを誘発できる。上記のような直結するランナー構造の異なるゲートが２個以上あればよく、すべてのゲートについて相互に異なるランナー構造としてもよい。
【００４１】
以上の図６および図７の形態は、それぞれ単独でも組み合わせて設けてもよい。また、これらの形態を上記の図２〜図５の形態と適宜組み合わせて設けてもよい。
【００４２】
本発明の軸受用樹脂製保持器の材料として用いる樹脂組成物は、射出成形が可能であり、保持器材料として十分な耐熱性や機械的強度を有するものであれば、任意のものを使用できる。この樹脂組成物のベース樹脂となる合成樹脂としては、例えば、ポリアミド６（ＰＡ６）樹脂、ポリアミド６−６（ＰＡ６６）樹脂、ポリアミド６−１０（ＰＡ６１０）樹脂、ポリアミド６−１２（ＰＡ６１２）樹脂、ポリアミド４−６（ＰＡ４６）樹脂、ポリアミド９−Ｔ（ＰＡ９Ｔ）樹脂、ポリアミド６−Ｔ（ＰＡ６Ｔ）樹脂、ポリメタキシレンアジパミド（ポリアミドＭＸＤ−６）樹脂などのポリアミド（ＰＡ）樹脂、射出成形可能なフッ素樹脂、低密度ポリエチレン、高密度ポリエチレン、超高分子量ポリエチレンなどのポリエチレン（ＰＥ）樹脂、ポリアセタール（ＰＯＭ）樹脂、ポリフェニレンスルフィド（ＰＰＳ）樹脂、ポリエーテルエーテルケトン（ＰＥＥＫ）樹脂、ポリアミドイミド（ＰＡＩ）樹脂、ポリエーテルイミド（ＰＥＩ）樹脂、射出成形可能なポリイミド（ＰＩ）樹脂などが挙げられる。これらの合成樹脂の中でも、耐熱性や射出成形性に優れることから、ＰＡ樹脂を用いることが好ましい。また、これらの各合成樹脂は単独で使用してもよく、２種類以上混合したポリマーアロイであってもよい。
【００４３】
また、保持器の弾性率などの機械的強度を向上させるため、これらの樹脂組成物に、射出成形性を阻害しない範囲で、ガラス繊維、アラミド繊維、炭素繊維、各種鉱物性繊維（ウィスカー）などの繊維状補強材を配合することが好ましい。特に、補強効果や入手性に優れることから、ガラス繊維または炭素繊維を配合することが好ましい。繊維状補強材の配合範囲としては、例えば、樹脂組成物全体に対して１５〜４０重量％程度である。その他、保持器の機能や射出成形性を損なわない範囲で、繊維状充填材以外の添加剤などを配合できる。
【００４４】
本発明の転がり軸受は、上述の本発明の軸受用樹脂製保持器を用いた軸受である。本発明の転がり軸受の一例を図８に基づき説明する。図８は、転がり軸受（円筒ころ軸受）の断面図である。図８に示すように、転がり軸受３１は、外周に内輪軌道面３２ａを有する内輪３２と、内周に外輪軌道面３３ａを有する外輪３３と、内輪軌道面３２ａと外輪軌道面３３ａとの間を転動する転動体である複数の円筒ころ３４と、円筒ころ３４をポケット部で周方向等間隔に保持する樹脂製保持器１とを備えてなる。この樹脂製保持器１が、本発明の軸受用樹脂製保持器である。この転がり軸受では、ウェルドでの保持器破損などの問題を防止できる。また、樹脂製保持器を採用することで、潤滑剤の長寿命化、軸受の軽量化なども図れる。
【００４５】
なお、図８では円筒ころ軸受用の保持器を例示したが、射出成形時にウェルド部を有する形状であれば、その他の任意の軸受（例えば、針状ころ軸受など）にも適用できる。
【実施例】
【００４６】
実施例１
ＰＡ６６樹脂にガラス繊維を２５重量％配合した樹脂材の成形用ペレットを用いて図２に示す形状の保持器（全体形状は図１（ａ））を成形した。射出成形時のゲートは、柱部の内径部中央にあり、円環部の各ポケット部を構成する部分の周方向中央位置にウェルド部（ウェルドライン）が形成されている。この保持器のウェルド部の引張強度を確認するため、作製した保持器を用いて保持器引張試験を実施した。図１２に示すように、保持器引張試験は、半円割治具２４を有する引張治具２３と半円割治具２４’を有する引張治具２３’とを有する試験装置２２を用い、試験用の保持器２１をそのウェルド部が水平位置になるように該装置にセットして所定の引張速度で行なった。なお、図１２（ａ）は、図１２（ｂ）におけるＣ−Ｃ’線断面図である。
【００４７】
比較例１
保持器のリブの形状を従来の形状（図１（ｂ））とする以外は、実施例１と同材料かつ同条件で保持器を作製してウェルド部の引張強度を確認した。
【００４８】
試験の結果、実施例１の方が、比較例１よりもウェルド部の引張強度に優れていることが確認できた。なお、実施例１の引張強度は比較例１に対し約１１０％程度であった。
【００４９】
また、実施例１と同条件における射出成形時の流動解析の結果を図１３に示す。この結果より、リブ中央に対し、左右不均等なウェルドラインが形成されることが確認できた。
【産業上の利用可能性】
【００５０】
本発明の軸受用樹脂製保持器は、ウェルド部での強度に優れるので、鉄道車両、自動車、産業機械などに用いられる転がり軸受用の保持器として好適に利用できる。
【符号の説明】
【００５１】
１  樹脂製保持器
２  リブ
３  肉ぬすみ部
４  ポケット部
５  円環部
６  柱部
７  ゲート
８ａ  スプール
８ｂ  ランナー
９  ゲート
１０  金型キャビティ
１１  保持器
１２  ポケット部
１３  柱部
１４  円環部
１５  ゲート
１６  金型キャビティ
１７  溶融樹脂
１８  ランナー
１９  ゲート
２０  ウェルド部
２１  保持器（試験片）
２２  試験装置
２３  引張治具
２４  半円割治具
３１  転がり軸受
３２  内輪
３３  外輪
３４  円筒ころ
【図１】
2017172736.tif 000003
【図２】
2017172736.tif 000004
【図３】
2017172736.tif 000005
【図４】
2017172736.tif 000006
【図５】
2017172736.tif 000007
【図６】
2017172736.tif 000008
【図７】
2017172736.tif 000009
【図８】
2017172736.tif 000010
【図９】
2017172736.tif 000011
【図１０】
2017172736.tif 000012
【図１１】
2017172736.tif 000013
【図１２】
2017172736.tif 000014
【図１３】
2017172736.tif 000015